(57)【要約】【課題】、容器キャップの開封時に、文字等の所定パターンをセキュリティーラベルに確実に表示させるラベル付き容器キャップおよびセキュリティーラベルを提供すること。【解決手段】容器キャップ２０とセキュリティーラベル３０とを備えたラベル付き容器キャップ１０であって、セキュリティーラベル３０のラベル粘着部４０は、表面フィルム層４１と剥離層４２と印刷層４３と粘着クッション層４４とをラベル層方向に重ねた構造を有し、ラベル粘着部４０には、ラベル平面に沿って延びる破断開始弱化線６０と、破断開始弱化線６０の一端から破断開始弱化線６０に対して角度を成すようにラベル平面に沿って延びる誘導弱化線７０とが形成されているラベル付き容器キャップ１０。【選択図】図１
2018047940.tif 000002
【特許請求の範囲】
【請求項１】
容器キャップと、前記容器キャップの外面に貼り付けられるセキュリティーラベルとを備えたラベル付き容器キャップであって、
前記セキュリティーラベルは、前記容器キャップに粘着されるラベル粘着部を有し、
前記ラベル粘着部は、表面フィルム層と、前記表面フィルム層の裏面に所定パターンで形成された剥離層と、前記表面フィルム層および前記剥離層の裏面を覆うように形成された印刷層と、前記印刷層の裏面に形成された粘着クッション層とをラベル層方向に重ねた構造を有し、
前記ラベル粘着部には、ラベル平面に沿って延びる破断開始弱化線と、前記破断開始弱化線の一端から前記破断開始弱化線に対して角度を成すようにラベル平面に沿って延びる誘導弱化線とが形成されていることを特徴とするラベル付き容器キャップ。
【請求項２】
前記セキュリティーラベルは、ラベル平面において前記ラベル粘着部に隣接して形成されるラベル非粘着部を更に有し、
前記破断開始弱化線は、前記誘導弱化線に接続された前記一端から、前記ラベル非粘着部側に向けて延びていることを特徴とする請求項１に記載のラベル付き容器キャップ。
【請求項３】
前記容器キャップは、容器口筒部に装着されるキャップ本体と、前記キャップ本体に取り付けられる上蓋とを有し、
前記セキュリティーラベルは、前記キャップ本体と前記上蓋との間の境界線に跨って貼り付けられ、
前記破断開始弱化線は、前記境界線に平行に配置されていることを特徴とする請求項１または請求項２に記載のラベル付き容器キャップ。
【請求項４】
前記破断開始弱化線は、前記境界線上に配置されていることを特徴とする請求項３に記載のラベル付き容器キャップ。
【請求項５】
前記容器キャップは、前記キャップ本体および前記上蓋を連結するヒンジ部を有し、
前記上蓋は、前記ヒンジ部から前記容器キャップの周方向にずれた位置に形成された摘み部を有し、
前記破断開始弱化線は、前記ヒンジ部側に位置するヒンジ側端部と、前記摘み部側に位置する摘み側端部とを有し、
前記誘導弱化線は、前記破断開始弱化線の前記摘み側端部から延びていることを特徴とする請求項３または請求項４に記載のラベル付き容器キャップ。
【請求項６】
前記容器キャップは、前記キャップ本体および前記上蓋を連結するヒンジ部を有し、
前記セキュリティーラベルは、前記容器キャップの周方向に前記ヒンジ部から９０°ずれた位置を跨ぐように配置されていることを特徴とする請求項３乃至請求項５のいずれかに記載のラベル付き容器キャップ。
【請求項７】
前記破断開始弱化線と前記誘導弱化線との間の角度は、９０°以上に設定されていることを特徴とする請求項１乃至請求項６のいずれかに記載のラベル付き容器キャップ。
【請求項８】
容器キャップの外面に貼り付けられ、前記容器キャップの開封履歴を証明するセキュリティーラベルであって、
前記セキュリティーラベルは、前記容器キャップに粘着されるラベル粘着部を有し、
前記ラベル粘着部は、表面フィルム層と、前記表面フィルム層の裏面に所定パターンで形成された剥離層と、前記表面フィルム層および前記剥離層の裏面を覆うように形成された印刷層と、前記印刷層の裏面に形成された粘着クッション層とをラベル層方向に重ねた構造を有し、
前記ラベル粘着部には、ラベル平面に沿って延びる破断開始弱化線と、前記破断開始弱化線の一端から前記破断開始弱化線に対して角度を成すようにラベル平面に沿って延びる誘導弱化線とが形成されていることを特徴とするセキュリティーラベル。
【発明の詳細な説明】
【技術分野】
【０００１】
本発明は、容器キャップの開封履歴を証明するセキュリティーラベルが貼り付けられたラベル付き容器キャップ、および、セキュリティーラベルに関する。
【背景技術】
【０００２】
近年、流通過程等において容器が不正に開封されることを防止するために、開封履歴を証明する所謂タンパーエビデント機能を有した容器が、飲料用容器等の幅広い分野で採用されている。
【０００３】
このようなタンパーエビデント機能を有した容器としては、容器キャップおよび容器口筒部を纏めてシュリンクラベルで覆ったもの（例えば特許文献１を参照）や、容器キャップの上蓋に形成された開封用鍔部を覆うように、キャップ本体のスカート壁にＴＥ（タンパーエビデント）カバーを設けたもの（例えば特許文献２を参照）等が知られている。
【０００４】
ところが、このようなシュリンクラベルやＴＥカバーを設けた場合、外観から一目で開封履歴を認識することが可能になるものの、シュリンクラベルを貼るためには、専用の設備や当該設備を設置するための設置スペースが必要になり、また、ＴＥカバーには、その開封方法が分かり難いという問題や、搬送性やチャッキング性に難があるという問題があった。
【０００５】
そこで、上記の問題を回避する一つの方法として、容器キャップの開封履歴を証明可能なセキュリティーラベルを容器キャップに貼り付けることが知られている。このようなセキュリティーラベルとしては、容器等の被着体からセキュリティーラベルを剥がすと、被着体側に印刷層の一部及び粘着層が残留し、セキュリティーラベルおよび被着体の両方にセキュリティーラベルを剥した痕跡が残るものが広く普及している。このようなセキュリティーラベルは、転移タイプと一般的に呼ばれている。
【０００６】
しかしながら、このようなセキュリティーラベルを使用した場合には、被着体側に残った粘着剤の残留片が容器内に混入する恐れがあり、特に飲料、食品、医薬品、化粧品等の容器に用いるには好適でないという問題があり、また、容器側に粘着した残留片が容器の外観を害し、残留片の粘着性がゴミ等を粘着させるという問題もある。
【０００７】
そこで、セキュリティーラベルを剥がしたことを認識できつつも、被着体に粘着剤が残ることを回避可能なセキュリティーラベルとして、特許文献３に記載されるセキュリティーラベル（改ざん防止ラベル）が提案されている。
【０００８】
この特許文献３に記載のセキュリティーラベル１３０は、図７に示すように、透明な表面フィルム層１４１と、表面フィルム層１４１の裏面に所定パターンで形成された剥離層１４２と、表面フィルム層１４１および剥離層１４２の裏面を覆うように形成された印刷層１４３と、印刷層１４３の裏面に形成されたクッション層１４４と、クッション層１４４の裏面に形成された粘着層１４５とをラベル層方向に重ねた構造を有している。
【０００９】
この特許文献３に記載のセキュリティーラベル１３０では、図７に示すように、容器等の被着体１２０からセキュリティーラベル１３０を剥がした時に、表面フィルム層１４１から剥離層１４２が剥離して、剥離層１４２の裏面に形成された印刷層１４３Ｂが表面フィルム層１４１の裏面に形成された印刷層１４３Ａから浮き剥がれ、表面フィルム層１４１と剥離層１４２との間に隙間Ｓが形成される。そして、この隙間Ｓが形成されることにより、剥離層１４２が設けられた印刷層１４３Ｂが半透明となり、外部から視認可能な文字等の所定パターンがセキュリティーラベル１３０に表示される。このようなセキュリティーラベルは、非転移タイプと一般的に呼ばれている。
【先行技術文献】
【特許文献】
【００１０】
【特許文献１】特開２０１２−１７６７６０号公報
【特許文献２】特開２００７−２６１６０６号公報
【特許文献３】特開２００３−３４５２５５号公報
【発明の概要】
【発明が解決しようとする課題】
【００１１】
上述したように、特許文献３に記載のセキュリティーラベル１３０では、セキュリティーラベル１３０にラベル層方向（ラベル表裏方向）への力、すなわち、表面フィルム層１４１から剥離層１４２を剥離させる力が作用した場合に、文字等の所定パターンがセキュリティーラベル１３０に表示される。
【００１２】
しかしながら、このようなラベル付き容器キャップでは、図８に一例を示すように、容器キャップ１２０にセキュリティーラベル１３０が貼り付けられたままの状態で、上蓋１２２を無理に開いてしまうような使用態様も想定され、この場合、セキュリティーラベル１３０がその中央付近でラベル平面方向に引き裂かれてしまう。そして、このような場合には、セキュリティーラベル１３０にラベル層方向への力が作用しないため、容器キャップ１２０が開封されているものにも関わらず、セキュリティーラベル１３０に文字等の所定パターンが表示されないことになる、という問題があった。
【００１３】
そこで、本発明は、これらの問題点を解決するものであり、簡素な構成で、容器キャップの開封時に、文字等の所定パターンをセキュリティーラベルに確実に表示させるラベル付き容器キャップおよびセキュリティーラベルを提供することを目的とするものである。
【課題を解決するための手段】
【００１４】
本発明のラベル付き容器キャップは、容器キャップと、前記容器キャップの外面に貼り付けられるセキュリティーラベルとを備えたラベル付き容器キャップであって、前記セキュリティーラベルは、前記容器キャップに粘着されるラベル粘着部を有し、前記ラベル粘着部は、表面フィルム層と、前記表面フィルム層の裏面に所定パターンで形成された剥離層と、前記表面フィルム層および前記剥離層の裏面を覆うように形成された印刷層と、前記印刷層の裏面に形成された粘着クッション層とをラベル層方向に重ねた構造を有し、前記ラベル粘着部には、ラベル平面に沿って延びる破断開始弱化線と、前記破断開始弱化線の一端から前記破断開始弱化線に対して角度を成すようにラベル平面に沿って延びる誘導弱化線とが形成されていることにより、前記課題を解決するものである。
本発明のセキュリティーラベルは、容器キャップの外面に貼り付けられ、前記容器キャップの開封履歴を証明するセキュリティーラベルであって、前記セキュリティーラベルは、前記容器キャップに粘着されるラベル粘着部を有し、前記ラベル粘着部は、表面フィルム層と、前記表面フィルム層の裏面に所定パターンで形成された剥離層と、前記表面フィルム層および前記剥離層の裏面を覆うように形成された印刷層と、前記印刷層の裏面に形成された粘着クッション層とをラベル層方向に重ねた構造を有し、前記ラベル粘着部には、ラベル平面に沿って延びる破断開始弱化線と、前記破断開始弱化線の一端から前記破断開始弱化線に対して角度を成すようにラベル平面に沿って延びる誘導弱化線とが形成されていることにより、前記課題を解決するものである。
【発明の効果】
【００１５】
本請求項１、８に係る発明によれば、セキュリティーラベルのラベル粘着部が、表面フィルム層と、表面フィルム層の裏面に所定パターンで形成された剥離層と、表面フィルム層および剥離層の裏面を覆うように形成された印刷層と、印刷層の裏面に形成された粘着クッション層とをラベル層方向に重ねた構造を有していることにより、セキュリティーラベルを剥がした際に、表面フィルム層から剥離層を剥離させて、表面フィルム層から剥離層との間に隙間を形成し、この隙間の形成によって文字等の所定パターンをセキュリティーラベルに表示させ、これにより、容器キャップに粘着剤を残留させることなく、容器キャップの開封履歴を証明できるばかりでなく、以下の効果を奏することができる。
【００１６】
すなわち、本請求項１、８に係る発明によれば、破断開始の起点となる破断開始弱化線に加えて、破断開始弱化線に対して角度を成すようにラベル平面方向に延びる誘導弱化線を形成することにより、容器キャップにセキュリティーラベルが貼り付けられたままの状態で容器キャップを無理に開封した場合等、セキュリティーラベルがラベル平面方向に引き裂かれるような場合であっても、破断開始弱化線を起点に開始したセキュリティーラベルの破断が、破断開始弱化線に角度を成すように延びる誘導弱化線によって誘導される時に、セキュリティーラベルにラベル層方向への力が作用することになるため、表面フィルム層から剥離層を剥離させ、文字等の所定パターンをセキュリティーラベルに確実に表示させることができる。
【００１７】
また、本請求項２に係る発明によれば、破断開始弱化線が、誘導弱化線に接続された一端から、ラベル非粘着部側に向けて延びている、言い換えると、セキュリティーラベルを剥がす方向に沿って延びていることにより、使用者がラベル非粘着部を掴んでセキュリティーラベルを剥がす時に、破断開始弱化線でセキュリティーラベルが破断してしまうことを抑制できる。
また、本請求項３、４に係る発明によれば、破断開始弱化線が、キャップ本体と上蓋との間の境界線に平行に配置されていることにより、セキュリティーラベルが貼り付けられたままの状態で上蓋を無理に開けようとした場合に、破断開始弱化線以外の箇所からセキュリティーラベルの破断が開始してしまうことを抑制できる。
また、本請求項５に係る発明によれば、上蓋の摘み部側に位置する破断開始弱化線の摘み側端部から、誘導弱化線が延びていることにより、上蓋を開ける際に、上蓋と容器キャップとの離間間隔が大きくなる摘み部側に誘導弱化線を配置することで、セキュリティーラベルが貼り付けられたままの状態で上蓋を無理に開けようとした場合に、誘導弱化線を確実に破断させて、セキュリティーラベルにラベル層方向への力を作用させることができる。
また、本請求項６に係る発明によれば、セキュリティーラベルは、容器キャップの周方向にヒンジ部から９０°ずれた位置を跨ぐように配置されていることにより、セキュリティーラベルが貼り付けられたままの状態で上蓋を無理に開けようとした場合に、誘導弱化線を確実に破断させることができる。
また、本請求項７に係る発明によれば、破断開始弱化線と誘導弱化線との間の角度が、９０°以上に設定されていることにより、破断開始弱化線を起点に開始したセキュリティーラベルの破断を、誘導弱化線に確実に誘導することができる。
【図面の簡単な説明】
【００１８】
【図１】本発明の一実施形態であるラベル付き容器キャップを示す説明図。
【図２】セキュリティーラベルを示す説明図。
【図３】ラベル付き容器キャップを示す断面図。
【図４】セキュリティーラベルを剥がす際の様子を示す断面図。
【図５】上蓋を無理に開いた場合にセキュリティーラベルが引き裂かれる様子を示す説明図。
【図６】セキュリティーラベルの変形例を示す説明図。
【図７】従来のセキュリティーラベルを剥がす際の様子を示す断面図。
【図８】上蓋を無理に開いた場合にセキュリティーラベルが引き裂かれる様子を示す説明図。
【発明を実施するための形態】
【００１９】
以下に、本発明の一実施形態に係るラベル付き容器キャップ１０について、図面に基づいて説明する。
【００２０】
ラベル付き容器キャップ１０は、図１に示すように、容器（図示しない）の容器口筒部に装着される合成樹脂製のヒンジ付きキャップとして構成された容器キャップ２０と、容器キャップ２０の側部の外面に貼り付けられるセキュリティーラベル３０とから構成されている。
【００２１】
容器キャップ２０は、図１に示すように、容器口筒部に装着されるキャップ本体２１と、キャップ本体２１に取り付けられる上蓋２２とを有している。
キャップ本体２１と上蓋２２とは、ヒンジ部２３によって連結され、また、上蓋２２には、ヒンジ部２３から容器キャップ２０の周方向に（本実施形態では１８０°）ずれた位置に形成された摘み部２４が形成されている。
【００２２】
セキュリティーラベル３０は、図１に示すように、キャップ本体２１と上蓋２２との間の境界線Ｂに跨って貼り付けられ、図１や図３に示すように、容器キャップ２０に粘着されるラベル粘着部４０と、ラベル平面方向においてラベル粘着部４０に隣接して形成され、容器キャップ２０に粘着されないラベル非粘着部５０とを有している。
【００２３】
セキュリティーラベル３０は、図１に示すように、ラベル粘着部４０およびラベル非粘着部５０の境界線がキャップ本体２１と上蓋２２との間の境界線Ｂに直交するように配置されている。ラベル粘着部４０は、摘み部２４側に配置され、また、ラベル非粘着部５０は、ヒンジ部２３側に配置されている。
セキュリティーラベル３０は、容器キャップ２０の周方向に、ヒンジ部２３（正確には、周方向におけるヒンジ部２３の中央）から９０°ずれた位置を跨ぐように配置されている。
【００２４】
ラベル粘着部４０は、図３に示すように、表面フィルム層４１と、表面フィルム層４１の裏面に所定パターンで形成された剥離層４２と、表面フィルム層４１および剥離層４２の裏面を覆うように形成された印刷層４３と、印刷層４３の裏面に形成された粘着クッション層４４とをラベル層方向に重ねた構造を有している。
【００２５】
また、ラベル非粘着部５０は、図３に示すように、表面フィルム層５１と、表面フィルム層５１の裏面を覆うように形成された印刷層５３とをラベル層方向に重ねた構造を有している。
【００２６】
図３に示すように、ラベル粘着部４０の表面フィルム層４１とラベル非粘着部５０の表面フィルム層５１とは、ラベル平面方向に連続し、また、ラベル粘着部４０の印刷層４３とラベル非粘着部５０の印刷層５３とは、ラベル平面方向に連続している。
【００２７】
表面フィルム層４１、５１は、ビニル、ポリプロピレン、ポリスチレン等の透明な高分子フィルムから形成されている。
剥離層４２は、剥離性を有し、ＵＶ（紫外線硬化型）シリコン樹脂、シリコン系、テフロン（登録商標）系、マット粒子系、ステアリルアクリレート等高級アルコールのアクリル酸エステルに代表される油脂系、ニトロセルロースに代表されるセルロースエステル、エーテル系等から形成されている。剥離層４２は、「開封済」等の所定パターンで、所定間隔で複数、凸版印刷、フレキソ印刷、スクリーン印刷等によって形成される。
印刷層４３、５３は、セキュリティーラベル３０を剥がした際に現れる印刷を施したものである。
粘着クッション層４４は、クッション性と皮膜性と粘着性を有し、不可逆的に弾性変化する特性を有している。
【００２８】
ラベル粘着部４０には、図１や図２に示すように、ラベル平面に沿って延びる破断開始弱化線６０と、破断開始弱化線６０の一端から破断開始弱化線６０に対して角度（本実施形態では約１５０°の角度）を成すようにラベル平面に沿って延びる誘導弱化線７０とが形成されている。
【００２９】
本実施形態では、破断開始弱化線６０および誘導弱化線７０が、ラベル平面方向に断続的に連続する複数のスリットから構成されているが、破断開始弱化線６０および誘導弱化線７０の具体的態様は、これら破断開始弱化線６０および誘導弱化線７０以外の周辺部分よりも破断し易くなっていればよく、例えば、周辺部分よりも肉薄に形成されていることにより、破断し易くなっていてもよい。
【００３０】
破断開始弱化線６０は、図１や図２に示すように、キャップ本体２１および上蓋２２の間の境界線Ｂに平行になるように、更に具体的には、境界線Ｂ上に位置するように、誘導弱化線７０に接続された一端（摘み側端部６２）から、ラベル非粘着部５０側に向けて延びている。
また、破断開始弱化線６０は、図２に示すように、ヒンジ部２３側（ラベル非粘着部５０側）に位置するヒンジ側端部６１と、摘み部２４側（ラベル粘着部４０側）に位置する摘み側端部６２とを有している。
誘導弱化線７０は、破断開始弱化線６０の摘み側端部６２から延びている。
【００３１】
つぎに、本実施形態のラベル付き容器キャップ１０において、容器キャップ２０からセキュリティーラベル３０を剥がした場合の各部の様子について、図４に基いて説明する。
【００３２】
まず、使用者がラベル非粘着部５０を掴んでセキュリティーラベル３０を剥がす時には、図４に示すように、容器キャップ２０の表面からラベル非粘着部５０側が浮き上がるように、セキュリティーラベル３０が曲げられる。
【００３３】
この際、セキュリティーラベル３０が曲げられたことに起因して、図４に示すように、表面フィルム層４１から剥離層４２が剥離して、剥離層４２の裏面に形成された印刷層４３Ｂが表面フィルム層４１の裏面に形成された印刷層４３Ａから浮き剥がれ（切断され）、表面フィルム層４１と剥離層４２との間に隙間Ｓが形成される。
【００３４】
この際、剥離した剥離層４２および印刷層４３Ｂは、粘着クッション層４４の皮膜性とクッション性によって粘着クッション層４４に食い込み、そして、粘着クッション層４４の不可逆的な弾性変形によって、剥離層４２および印刷層４３Ｂが粘着クッション層４４に食い込んだ状態が維持される。
【００３５】
そして、表面フィルム層４１と剥離層４２との間に隙間Ｓが形成されることにより、剥離層４２を設けた印刷層４３Ｂが半透明となり、外部（表面フィルム層４１側）から視認可能な文字等の所定パターンがセキュリティーラベル３０に表示される。本実施形態のセキュリティーラベル３０は、いわゆる非転移タイプとなっている。
【００３６】
つぎに、本実施形態のラベル付き容器キャップ１０において、容器キャップ２０にセキュリティーラベル３０が貼り付けられたままの状態で、上蓋２２を無理に開いた場合の各部の様子について、図５に基いて説明する。
【００３７】
まず、容器キャップ２０にセキュリティーラベル３０が貼り付けられたままの状態で、上蓋２２を無理に開いた場合、破断開始弱化線６０からセキュリティーラベル３０の破断が開始し、このセキュリティーラベル３０の破断は、破断開始弱化線６０のヒンジ側端部６１からヒンジ部２３側に延びるとともに、破断開始弱化線６０の摘み側端部６２から誘導弱化線７０によって誘導されて摘み部２４側に延びることになる。
【００３８】
そして、誘導弱化線７０は、破断開始弱化線６０に対して角度を成すように延びていることから、セキュリティーラベル３０の破断が誘導弱化線７０によって誘導される時に、セキュリティーラベル３０にラベル層方向への力が作用し、すなわち、表面フィルム層４１から剥離層４２を剥離させる力が生じ、その結果、セキュリティーラベル３０に文字等の所定パターンが表示される。
また、この際、誘導弱化線７０が、ラベル粘着部４０の外縁よりも内側に形成されている（言い換えると、ラベル粘着部４０の外縁に達していない）ことにより、誘導弱化線７０が破断する時に、表面フィルム層４１がより引っ張られる（すなわち、ラベル粘着部４０の外縁と破断開始弱化線６０側の誘導弱化線７０の端部との間の領域が、開栓時における上蓋２２の旋回によって引っ張られる）ことになるため、セキュリティーラベル３０にラベル層方向への力がより作用し易くなり、上述した効果がより促進されることになる。
【００３９】
なお、破断開始弱化線６０および誘導弱化線７０の具体的態様は、図２に示す例に限定されず、種々の設計変更を行なうことが可能である。
【００４０】
例えば、破断開始弱化線６０および誘導弱化線７０の間の角度は、如何なるものでもよく、図６に示す変形例のように、破断開始弱化線６０および誘導弱化線７０の間の角度が９０°になるように設定してもよい。なお、破断開始弱化線６０および誘導弱化線７０の間の角度が９０°以上になるように設定することが、破断開始弱化線６０を起点に開始したセキュリティーラベル３０の破断を、誘導弱化線７０に円滑に誘導することができるので好ましい。
また、図２に示す例では、破断開始弱化線６０の一端から１本の誘導弱化線７０が延びているが、図６に示す変形例のように、破断開始弱化線６０と誘導弱化線７０とでＴ字状を成すように、破断開始弱化線６０の一端から複数（２本）の誘導弱化線７０が延びていてもよい。
また、図２に示す例では、破断開始弱化線６０の摘み側端部６２から誘導弱化線７０が延びているものとして説明したが、反対に、破断開始弱化線６０のヒンジ側端部６１から誘導弱化線７０が延びていてもよい。
また、図２に示す例では、破断開始弱化線６０および誘導弱化線７０は、ラベル粘着部４０の外縁よりも内側に形成されているが、破断開始弱化線６０または誘導弱化線７０の少なくとも一方が、ラベル粘着部４０の外縁に達していてもよい。なお、セキュリティーラベル３０の不測の破断を防止する観点から、破断開始弱化線６０および誘導弱化線７０は、ラベル粘着部４０の外縁よりも内側に形成されているのが、好ましい。
また、破断開始弱化線６０または誘導弱化線７０の少なくとも一方が、ラベル非粘着部５０の内側まで延びていてもよい。
また、図２に示す例では、破断開始弱化線６０が境界線Ｂ上に配置されているものとして説明したが、破断開始弱化線６０の位置が境界線Ｂからずれていてもよく、また、破断開始弱化線６０が境界線Ｂに対して非平行に配置されていてもよい。
また、図２に示す例では、破断開始弱化線６０および誘導弱化線７０の両方が、直線状に形成されているが、破断開始弱化線６０および誘導弱化線７０の少なくとも一方が、曲線状に形成されていてもよい。
【００４１】
以上、本発明の実施形態を詳述したが、本発明は上記実施形態に限定されるものではなく、特許請求の範囲に記載された本発明を逸脱することなく種々の設計変更を行なうことが可能である。
【００４２】
例えば、上述した実施形態では、セキュリティーラベルが、キャップ本体と上蓋との間の境界線に跨って貼り付けられるものとして説明したが、セキュリティーラベルの貼り付け位置はこれに限定されず、例えば、容器と容器キャップとの間の境界線に跨って貼り付けられていてもよい。なお、この場合、容器キャップは、キャップ本体と上蓋とに分離されていない単一部品として構成されていてもよい。
また、上述した実施形態では、セキュリティーラベルが、容器キャップに粘着されるラベル粘着部と、容器キャップに粘着されないラベル非粘着部とを有しているものとして説明したが、ラベル非粘着部を形成せず、言い換えると、セキュリティーラベル全体をラベル粘着部として構成してもよい。
また、上述した実施形態では、粘着クッション層を１層構造で形成するものとして説明したが、粘着クッション層の具体的態様はこれに限定されず、例えば、図７に示す従来例のように、粘着クッション層を、印刷層の裏面に形成されてクッション性および皮膜性を有したクッション層と、クッション層の裏面に形成されて粘着性を有した粘着層との２層構造で構成してもよい。
また、上述した実施形態では、キャップ本体と上蓋とをヒンジ部によって連結しているものとして説明したが、容器キャップの具体的態様はこれに限定されず、例えば、キャップ本体と上蓋とをネジ式で連結するものであってもよい。
【符号の説明】
【００４３】
１０  ・・・  ラベル付き容器キャップ
２０  ・・・  容器キャップ
２１  ・・・  キャップ本体
２２  ・・・  上蓋
２３  ・・・  ヒンジ部
２４  ・・・  摘み部
３０  ・・・  セキュリティーラベル
４０  ・・・  ラベル粘着部
４１  ・・・  表面フィルム層
４２  ・・・  剥離層
４３  ・・・  印刷層
４４  ・・・  粘着クッション層
５０  ・・・  ラベル非粘着部
５１  ・・・  表面フィルム層
５３  ・・・  印刷層
６０  ・・・  破断開始弱化線
６１  ・・・  ヒンジ側端部
６２  ・・・  摘み側端部
７０  ・・・  誘導弱化線
Ｂ  ・・・  キャップ本体と上蓋との間の境界線
【図１】
2018047940.tif 000003
【図２】
2018047940.tif 000004
【図３】
2018047940.tif 000005
【図４】
2018047940.tif 000006
【図５】
2018047940.tif 000007
【図６】
2018047940.tif 000008
【図７】
2018047940.tif 000009
【図８】
2018047940.tif 000010